(57)【要約】【課題】  簡素な構成によって配光を広げるとともに、小型かつ軽量を維持できる、照明ランプを提供する。【解決手段】  本発明の一態様に係る照明ランプは、筒状の第１筐体部３１８と、第１筐体３１８上の端部３１ｓ１を露出させるように第１筐体３１８上に配置された、上端部の外径寸法Ｒ２が下端部の外径寸法Ｒ１より小さい錐状の第２筐体部３１７と、第２筐体部３１７上に配置された光源部１と、光源部１を覆うように端部に沿って配置された透光性のカバー２と、を備え、光源部１は、カバー２の頂部ｂと端部３１ｓ１とを結んで形成された錐状空間ｇ内に収められるように配置した。【選択図】  図１
2015088491.tif 000002
【特許請求の範囲】
【請求項１】
筒状の第１筐体部と、
前記第１筐体部上の端部を露出させるように前記第１筐体部上に配置された、上端部の外径寸法が下端部の外径寸法より小さい錐状の第２筐体部と、
前記第２筐体部上に配置された光源部と、
前記光源部を覆うように前記端部に沿って配置された透光性のカバーと
を備え、
前記光源部は、前記カバーの頂部と前記端部とを結んで形成された錐状空間内に収めるように配置されたことを特徴とする照明ランプ。
【請求項２】
前記下端部の外径寸法に対する前記上端部の外径寸法の比率は、
前記カバーの深さ寸法に対する前記上端部と前記頂部とを結ぶ最小寸法の比率よりも小さいことを特徴とする請求項１に記載の照明ランプ。
【請求項３】
前記第１筐体部と前記第２筐体部とは、
一体的に形成されたことを特徴とする請求項１に記載の照明ランプ。
【請求項４】
筒状の筐体部と、
前記筐体部の一端に配置される光源部と、
前記光源部を覆って前記筐体部に取り付けられる透光性のカバーと
を備え、
前記カバーの開口端部は、前記筐体部の筒状の外周部に形成される最大外径部に沿って取り付けられるとともに、前記光源部は、前記カバーの頂部と前記最大外径部とを結んで形成された錐状空間内に収められるように配置されたことを特徴とする照明ランプ。
【請求項５】
前記筐体部は、
前記一端とこれと反対側の他端との間に前記最大外径部が形成され、
前記最大外径部から前記一端側に向かって、前記外周部の外径が徐々に小さくなる第１錐状部を備えたことを特徴とする請求項４に記載の照明ランプ。
【請求項６】
前記筐体部は、
前記最大外径部から前記他端側に向かって、前記外周部の外径が徐々に小さくなる第２錐状部を備えたことを特徴とする請求項５に記載の照明ランプ。
【請求項７】
前記筐体部は、
前記一端に光源取付け部が形成され、
前記光源部は、
前記光源取付け部に取り付けられたことを特徴とする請求項４から６のいずれかに記載の照明ランプ。
【請求項８】
前記筐体部は、
前記他端側に形成された口金取付け部に口金が取り付けられ、
前記口金、前記第２錐状部、前記第１錐状部、前記光源取付け部の内部に連通して筒状の内部空間を形成されるとともに、
前記口金を経由して外部供給電力が入力され、前記外部供給電力を前記光源部の光源を点灯させる点灯電力に変換して前記光源に供給する点灯装置が、前記内部空間に内包された
ことを特徴とする請求項から７のいずれかに記載の照明ランプ。
【請求項９】
前記筐体部は、
前記第２錐状部、前記第１錐状部、および前記光源取付け部は、
一体的に形成された
ことを特徴とする請求項８に記載の照明ランプ。
【請求項１０】
前記筐体部は、
前記内部空間の内周面部に、前記点灯装置が有する点灯回路基板の長辺縁部を当接させる点灯装置保持部が配置された
ことを特徴とする請求項４から９のいずれかに記載の照明ランプ。
【請求項１１】
前記点灯装置保持部は、
前記内部空間の内周面部に、前記点灯装置の挿入方向に延在して形成された
ことを特徴とする請求項１０に記載の照明ランプ。
【請求項１２】
前記点灯装置保持部は、
前記光源部と前記筐体部とを締結する締結機構を兼ねた
ことを特徴とする請求項１０または１１に記載の照明ランプ。
【請求項１３】
前記筐体部は、
熱伝導性を有する金属筐体と、電気絶縁性を有する樹脂筐体とからなり、
前記金属筐体は、
前記樹脂筐体が収納される凹部と、前記凹部の底面部と対向した外面部に前記光源部が取り付けられる前記光源部取付け部と、前記凹部の内周面部と対向した前記最大外径部に前記カバーが取り付けられるカバー取付け部とが形成され、
前記樹脂筐体は、
前記凹部に収納されるとともに、前記点灯装置保持部に前記点灯回路基板の前記長辺縁部を当接させて前記点灯装置が収納される収納空間と、前記口金が取り付けられる前記口金取付け部とが形成される
ことを特徴とする請求項４から１０、１２のいずれかに記載の照明ランプ。
【請求項１４】
前記光源取付け部は、
前記光源部の外径寸法より大きい外径寸法であることを特徴とする請求項７から９、１３のいずれかに記載の照明ランプ。
【請求項１５】
前記光源部は、
前記光源としてＬＥＤ、レーザダイオード、有機ＥＬのいずれかを用いたことを特徴とする請求項１から１４のいずれかに記載の照明ランプ。
【請求項１６】
照明対象空間を照明する位置に設置され、商用電力に接続される照明器具本体と、
前記照明器具本体に取り付けられるランプソケットと、
前記ランプソケットに取り付けられるとともに前記ランプソケットを経由して商用電力が供給される、請求項１から１５のいずれかに記載の照明ランプと
を備えたことを特徴とする照明装置。
【発明の詳細な説明】
【技術分野】
【０００１】
本発明は照明ランプに関し、特に、配光を広げるように構成された電球形照明ランプ、およびこの電球形照明ランプを用いた照明装置に関する。
【背景技術】
【０００２】
近年、従来用いられてきた白熱電球や蛍光灯などの照明ランプに代わって、低消費電力や長寿命といった特性を有するＬＥＤを光源として備える、ＬＥＤ照明ランプの普及が進んでおり、これに伴いＬＥＤ照明ランプに関するさまざまな技術が開示されている（例えば、特許文献１参照）。
【先行技術文献】
【特許文献】
【０００３】
【特許文献１】特開２０１０−２０５５５３号公報
【発明の概要】
【発明が解決しようとする課題】
【０００４】
特許文献１には、指向性がある光源と、光源を内部に収容し、光源からの光を透過する透光性収容体とを備える照明装置において、光源から出射される光の少なくとも一部を、配光を広げるべく、透光性収容体の内部において反射させる反射体を備えた照明装置が開示されている。
【０００５】
しかしながら、複数の部品を組み合せて透光性収容体の内部に反射体を設ける構成となっており、構造が複雑であり、また、照明装置の小型化や軽量化を妨げる要因ともなっていた。
【０００６】
本発明は、上記のような課題を解決するためになされたものであり、その目的は、簡素な構成によって配光を広げるとともに、小型かつ軽量を維持できる照明ランプを提供することにある。
【課題を解決するための手段】
【０００７】
本発明の一の態様に係る照明ランプは、筒状の第１筐体部と、第１筐体部上の端部を露出させるように第１筐体部上に配置された、上端部の外径寸法が下端部の外径寸法より小さい錐状の第２筐体部と、第２筐体部上に配置された光源部と、光源部を覆うように端部に沿って配置された透光性のカバーと、を備え、光源部は、カバーの頂部と端部とを結んで形成された錐状空間内に収められるように配置されている。
【発明の効果】
【０００８】
本発明の一の態様に係る照明ランプは上述のように構成されたので、簡素な構成によって配光を広げるとともに、小型かつ軽量を維持できる照明ランプを提供することができる。
【図面の簡単な説明】
【０００９】
【図１】本発明の実施の形態１に係る照明ランプの主要な構成を示す斜視図。
【図２】本発明の実施の形態１に係るカバーの斜視図。
【図３】本発明の実施の形態１に係る点灯装置の側面図。
【図４】本発明の実施の形態１に係る照明ランプの主要な構成を示す正面視断面図。
【図５】本発明の実施の形態１に係る照明ランプの主要な構成を示す側面視断面図。
【図６】図４、５におけるＢ−Ｂ断面図。
【図７】図６におけるＨ１部およびＨ２部の部分拡大断面図。
【図８】本発明の実施の形態１に係る照明ランプの第１の特徴の全体を説明する図。
【図９】本発明の第１の特徴と効果の細部を説明する図。
【図１０】本発明の実施の形態１に係る照明ランプの第２の特徴を説明する断面図。
【図１１】従来の照明ランプの一例を示す断面図。
【図１２】従来の照明ランプの別の一例を示す断面図。
【図１３】従来の照明ランプのさらに別の一例を示す断面図
【図１４】本発明の実施の形態１に係る照明ランプの第３の特徴を説明する図。
【図１５】従来の照明ランプの主要な構成を示す断面図。
【図１６】第１変形例に係る照明ランプの構成を説明する断面図。
【図１７】第２変形例に係る照明ランプの構成を説明する断面図。
【図１８】第３変形例に係る照明ランプの構成を説明する断面図。
【図１９】第４変形例に係る照明ランプの構成を説明する断面図。
【図２０】第５変形例に係る照明ランプの構成を説明する断面図。
【図２１】第５変形例に係る筐体部の構成を説明する側面視断面図。
【図２２】第５変形例に係る樹脂筐体の構成を説明する拡大斜視図。
【図２３】実施の形態１に係る照明ランプが適用された照明装置の構成を示す断面図。
【発明を実施するための形態】
【００１０】
以下、本発明の実施の形態に係る照明ランプ、および照明ランプが取り付けられた照明装置について、図面を参照しながら説明する。なお、以下に示す図面の形態によって本発明が限定されるものではない。
【００１１】
実施の形態１．
図１は、本発明の実施の形態１に係る照明ランプの主要な構成を示す斜視図である。図２は、本発明の実施の形態１に係るカバーの斜視図である。図３は、本発明の実施の形態１に係る点灯装置の側面図である。図４は、本発明の実施の形態１に係る照明ランプの主要な構成を示す正面視断面図であって、図５におけるＣ−Ｃ断面図である。図５は、本発明の実施の形態１に係る照明ランプの主要な構成を示す側面視断面図であって、図４におけるＡ−Ａ断面図である。図６は、図４、５におけるＢ−Ｂ断面図である。図７は、図６におけるＨ１部およびＨ２部の部分拡大断面図である。
なお、図４〜７における点灯装置５は、説明に必要となる点灯回路基板５００のみを図示したものである。
【００１２】
図１および図４〜６に示すように、実施の形態１に係る照明ランプ１００は、光源部１、カバー２、筐体部３、口金４、および筐体部に収納される点灯装置５を有する電球形の照明ランプである。
実施の形態１において、光源部１は、光源である発光ダイオード（Ｌｉｇｈｔ  Ｅｍｉｔｔｉｎｇ  Ｄｉｏｄｅ、以下、ＬＥＤ）素子１０と、ＬＥＤ素子１０が実装されるＬＥＤ基板１１とを備えている。ＬＥＤ基板１１は円板形状をしており、板面が照明ランプ１００の軸方向と直交するように配置されている。ＬＥＤ基板１１は、ＬＥＤ素子が実装される一面側がＬＥＤ実装部１１３であり、ＬＥＤ実装部と対向する他面側が後述する金属筐体３１に取り付けられる金属筐体取付け部１１４である。ＬＥＤ基板１１のＬＥＤ実装部１１３には、複数のＬＥＤ素子１０がＬＥＤ基板１１の外周と同心の円周上に実装されている。ＬＥＤ基板１１の形状や寸法、ＬＥＤ素子１０の個数や配置位置などは、照明ランプ１００の設計仕様に応じて適宜決定される。
【００１３】
ＬＥＤ基板１１は、所定の間隔で設けられた第１貫通孔１１０および第２貫通孔１１１と、ワイヤーハーネスなどの配線部材（図示せず）等を通過させるための第３貫通孔１１２を有する。第１貫通孔１１０および第２貫通孔１１１には、光源部１を筐体部３に取り付けるために用いる、ねじ９を挿通する。
【００１４】
ＬＥＤ基板１１の第１貫通孔１１０および第２貫通孔１１１は、後述する金属筐体３１の光源取付け部３１３に設けられた第１貫通孔３１０および第２貫通孔３１１とそれぞれ連通するように所定の間隔で配置されており、後述する樹脂筐体３０に設けられた第１ボス３０３および第２ボス３０４のねじ孔にさらに連通している。光源部１は、連通した第１貫通孔３１０および第２貫通孔３１１に挿通し、ねじ孔にねじ込まれる２つのねじ９を用いて、光源取付け部３１３に取り付けられる。なお、ねじは２つに限らず、ＬＥＤ基板１１、金属筐体３１、および樹脂筐体３０が相互に固定されていればよい。
【００１５】
光源部１の構成要素には、ＬＥＤ素子１０とＬＥＤ基板１１のほか、点灯装置５と電気的に接続されてＬＥＤ素子１０を点灯させるための点灯電力を点灯装置５から光源部１に伝達するワイヤーハーネスやコネクタなどの配線部材（図示せず）、および照明ランプ１００の設計仕様に応じて必要となる電子部品などが含まれる。
なお、本実施の形態における照明ランプ１００は、光源としてＬＥＤ素子以外の素子が用いられてもよい。光源として用いられるＬＥＤ素子以外の素子としては、例えば、レーザダイオード（Ｌａｓｅｒ  Ｄｉｏｄｅ）、有機ＥＬ（Ｏｒｇａｎｉｃ  Ｅｌｅｃｔｒｏ−Ｌｕｍｉｎｅｓｃｅｎｃｅ）などがあり、光を発するものであれば、これら以外のものを用いてもよい。
また、ＬＥＤ基板１１の面積やＬＥＤ基板１１に実装されるＬＥＤ素子１０の配置や数によっては、ＬＥＤ基板１１に貫通孔を設けることが困難な場合がある。このような場合は、光源部１は、ねじ以外に両面テープなどの接着部材を用いて金属筐体３１（後述）の光源取付け部３１３に取り付けられてもよい。
【００１６】
カバー２は、ＬＥＤ素子１０から出射した光を透過する透光性の素材（例えばガラスや樹脂など）で構成され、光源部１の光の出射側を覆うように金属筐体３１に取り付けられている。カバー２を樹脂で構成する場合は、例えばポリカーボネートやアクリル等が製品仕様に応じて用いられる。本実施の形態に係るカバー２は、図２に示すように、外形が曲面形状であって全体として半球状の形状をなしている。そして、カバー２の開口端部２２は、後述する金属筐体３１の最大外径部３１ｓ１に設けられたカバー取付け部３１４に取り付けられている。カバー２は、開口端部２２から頂部ｂまでの距離（深さ寸法）がＬ３である。
カバー２は、透光性（光を透過する性質）を有し、光源部１から出射される光を透過させるとともに、照明ランプ１００の仕様に応じて、光を拡散、反射、集光、反射、散乱させる機能を有してもよい。これらの機能は、拡散層（あるいは面）、反射層（あるいは面）、レンズとして、ガラスまたは樹脂をなどの基材を用いてカバー２を成形する際に基材自身に直接形成してもよいし、基材の表面にこれらの機能を有する別の部材を組み合わせて付設する構成としてもよい。
カバー２が有する機能として、カバー外面部２０から出射される光の向きは、カバー内面部２１に入射される光の向きに依存するように調整される。
【００１７】
筐体部３は、内部に点灯装置５が収納される樹脂筐体３０と、樹脂筐体３０の外周を覆うように取り付けられる金属筐体３１とを備える。
樹脂筐体３０は、電気絶縁性を有し、アクリルやポリカーボネートなどの樹脂素材やセラミックなどを用いて形成される。樹脂筐体３０は筒状の形状をなし、筒状の外周部に金属筐体３１が取付けられる金属筐体取付け部３０６Ａと、筒状の外周部に口金４を取付けられる口金取付け部３０６Ｂと、両者を連接する第３錐状部３０７とで構成されている。
【００１８】
樹脂筐体３０は、内部に点灯装置５を収納できるように収納空間を有するとともに、光源部１側と口金４側とに開口部が形成される。収納空間は内径が大きい光源部１側の第１収納空間と、第１収納空間の内径よりその内径が小さい口金４側の第２収納空間と、その間に位置してこれら２つの空間を連接する錐状の第３収納空間から構成され、直径が大きい光源部１側の開口部から点灯装置５が挿入される。第１収納空間は金属筐体取付け部３０６Ａによって、第２収納空間は口金取付け部３０６Ｂによって、第３収納空間は第３錐状部３０７によって、それぞれ覆われている。
【００１９】
樹脂筐体３０の光源部１側の開口部には、樹脂筐体内周面部３００から樹脂筐体３０の中心軸に向かって突設するように第１ボス３０３および第２ボス３０４が形成されている。第１ボス３０３と第２ボス３０４とは、樹脂筐体３０の周方向において１８０度離れた位置に、樹脂筐体３０の中心軸を挟んで対向する２箇所に設けられている。樹脂筐体３０の中心軸は、照明ランプ１００の中心軸Ｏに重なる。第１ボス３０３および第２ボス３０４の中心軸に設けられるねじ孔（図示せず）には、ＬＥＤ基板１１と金属筐体３１とを、樹脂筐体３０に固定するためのねじ９がねじ込まれる。これらを締結して固定するための締結部材は、ねじ９の他に、リベットや圧入ボルトなどが用いられてもよく、その場合は、適宜ねじ孔（図示せず）の形状を代えて第１ボス３０３と第２ボス３０４とが形成される。第１ボス３０３および第２ボス３０４は、樹脂筐体３０中心軸に平行に第３錐状部３０７まで延伸して第１リブ３０１と第２リブ３０２とが形成され、樹脂筐体３０を補強するとともに変形を抑制している。
【００２０】
また、図５〜７に示すように、点灯装置５は、点灯回路基板５００の長辺縁部の少なくとも一部を、第１ボス３０３および第２ボス３０４、あるいは、第１リブ３０１および第２リブ３０２に当接させて樹脂筐体３０内に保持される。点灯回路基板５００は、樹脂筐体３０の第１収納空間の形状に対応した幅広部、樹脂筐体３０の第２収納空間の形状に対応した幅狭部、および樹脂筐体３０の第３収納空間の形状に対応し、幅広部と幅狭部とを連接するテーパー部を有している。
なお、樹脂筐体３０は、好適に成形を行うために、第１リブ３０１および第２リブ３０２に対向する樹脂筐体外周面部３０６に溝部（図示せず）を設けてもよい。
【００２１】
点灯装置５は、点灯回路基板５００に複数の点灯回路部品５０が実装されて、樹脂筐体３０の光源部１側から樹脂筐体３０に挿入される。そして、点灯回路基板５００の長辺縁部の少なくとも一部が、第１当接部８０を構成する第１ボス３０３や第１リブ３０１、第２当接部８１を構成する第２ボス３０４や第２リブ３０２に当接する。そして、点灯回路基板５００の長辺縁部の少なくとも一部は、第３当接部８２および第４当接部８３を構成する樹脂筐体内周面部３００に当接する。
このように、実施の形態１に係る照明ランプ１００において、樹脂筐体３０の内部に設けられ、ＬＥＤ基板１１、樹脂筐体３０、金属筐体３１を相互に固定（締結）する際に用いるねじ９をねじ込む第１ボス３０３および第２ボス３０４は、点灯回路基板５００を保持する構成を兼ねて形成されている。また、点灯回路基板５００は上述した第１当接部８０、第２当接部８１、第３当接部８２、第４当接部８３の４つの当接部によって保持される。なお、点灯回路基板５００が樹脂筐体３０内で安定に保持されていれば、必ずしも４つの当接部の全てが点灯回路基板５００の長辺縁部に当接していなくてもよい。
【００２２】
口金４は、樹脂筐体３０の口金取付け部３０６Ｂと嵌合するとともに、点灯装置５へ接続される第１給電線（図示せず）を挟持し固定する挟持部４０と、点灯装置５へ接続される第２給電線（図示せず）を固定する中心電極４１とを有する。
口金４は、照明装置１５０（例えば、図２３を参照）が備えるランプソケット１６０に螺合して取り付けられる構造を有している。そして口金４は、商用電源などから供給される電力を、照明装置１５０を経由して照明ランプ１００に入力するための入力端である。
【００２３】
金属筐体３１は、熱伝導性を有する金属材料（例えば、アルミニウム）などを用いて有底筒状に一体成形されている。底部の外面側には、光源部１（ＬＥＤ基板１１）が取り付けられる光源取付け部３１３として、平坦な面が形成されており、金属筐体３１は、外面側と対向する底面部の内面側がくり抜かれた有底筒状の凹形状をしている。
【００２４】
本実施の形態において、金属筐体３１は、口金４側に配置される第１筐体部３１８と、光源部１側に配置される第２筐体部３１７とが一体的に形成されている。金属筐体３１は、第１筐体部３１８の光源部１側の端部を露出するように、第１筐体部３１８の光源部１側の端部に第２筐体部３１７が配置されている。第１筐体部３１８の光源部１側の端部は、金属筐体３１の最大の外径寸法Ｒ１を有する最大外径部３１ｓ１である。第１筐体部３１８は、口金４側の端部が外径寸法Ｒ１より小さい外径寸法である錐状の形状に形成されている。そして、第２筐体部３１７は、光源部１側の端部が外径寸法Ｒ１より小さい外径寸法Ｒ２である錐状の形状に形成されている。
【００２５】
換言すると、金属筐体３１の筒状の外周部の形状は、最大の外径寸法Ｒ１を共有する円形の底面どうしを重ねた、光源部１側に向かって円形の断面形状を維持しながら徐々に外径寸法が小さくなる第１錐状部３１７ｓと、口金４側の開口端部３１Ｂに向かって円形の断面形状を維持しながら徐々に外径寸法が小さくなる第２錐状部３１８ｓとを組み合せた形状である。すなわち、光源取付け部３１３の直径寸法Ｒ２は、金属筐体３１の最大の外径寸法Ｒ１より小さい。そして、光源取付け部３１３に取り付けられるＬＥＤ基板１１の直径寸法（図８のＲ４）は、光源取付け部３１３の直径寸法Ｒ２より小さい。
【００２６】
好ましくは、第２筐体部３１７の光源取付け部３１３や第１錐状部３１７ｓの表面、さらにＬＥＤ基板１１のＬＥＤ実装部１１３には、光の反射や拡散を促進する反射部材や拡散部材を敷設する処理が施される。
【００２７】
金属筐体３１の凹部には、開口側から樹脂筐体３０の金属筐体取付け部３０６Ａが挿入される。樹脂筐体３０が金属筐体３１に挿入され、樹脂筐体３０と金属筐体３１とで形成される空間に点灯装置５が収納される。金属筐体３１の光源取付け部３１３には、樹脂筐体３０の内部に収納された点灯装置５と光源部１とを電気的に接続するためのワイヤーハーネスなどの配線材（図示せず）を通過させる第３貫通孔３１２が設けられている。
【００２８】
さらに、金属筐体３１の光源取付け部３１３には、第１貫通孔３１０と第２貫通孔３１１とが、それぞれ樹脂筐体３０の第１ボス３０３および第２ボス３０４に対応する位置に設けられている。２つのねじ９の一方は貫通したＬＥＤ基板１１の第１貫通孔１１０と金属筐体３１の第１貫通孔３１０とに挿通させて第１ボス３０３にねじ込まれ、他方は貫通したＬＥＤ基板１１の第２貫通孔１１１と金属筐体３１の第２貫通孔３１１とに挿通させて第２ボス３０４にねじ込まれることで、ＬＥＤ基板１１と樹脂筐体３０と金属筐体３１とを固定することができる。
【００２９】
また、点灯装置５と金属筐体３１の間には樹脂蓋（図示せず）を設けてもよく、樹脂筐体３０と金属筐体３１とで形成される空間に点灯装置５が収納された際に、点灯装置５が挿入方向にぐらつくことを抑制できる。樹脂蓋（図示せず）は、樹脂筐体３０の光源部１側の開口部側から樹脂筐体３０の内部に挿入されたり、樹脂筐体３０の光源部１側の開口端部３０Ａに一面を当接させたりして、樹脂筐体３０の光源部１側の開口部を塞ぐように配設される。樹脂蓋（図示せず）の配線筒部（図示せず）は、金属筐体３１の光源取付け部３１３に設けられた第３貫通孔３１２と嵌合し、樹脂筐体３０の内部に収納された点灯装置５と光源部１とを電気的に接続するためのワイヤーハーネスなどの配線材（図示せず）は、配線筒部（図示せず）の内部を通過させる。
【００３０】
そして、金属筐体３１の最大の外径寸法Ｒ１を有する最大外径部３１ｓ１には、全周に渡ってカバー取付け部３１４が形成されており、光源部１、光源取付け部３１３、および第２筐体部３１７（第１錐状部３１７ｓ）を覆って、カバー２が取付けられる。このように、カバー２、筐体部３（樹脂筐体３０、金属筐体３１）および口金４は、全体として電球形の外形をなしている。
このような複雑な形状をした金属筐体３１は、一体形成されているので製造工程は簡素であり安価に製造できる。
なお、本実施の形態に係る筐体部３は円筒形状の例を図示しているが、これに限定されるものではない。
【００３１】
また、図１〜７に示した金属筐体３１の第１筐体部３１８（第２錐状部３１８ｓ）は、口金４側の開口端部３１Ｂに向かって円形の断面形状を維持しながら、略直線的に徐々に外径寸法が小さくなるように描かれているが、これに限定されるものではない。すなわち、第１筐体部３１８（第２錐状部３１８ｓ）の外周部は、外側にわずかに膨らんだ凸状の曲面でもよいし、内側にわずかにへこんだ凹状の曲面でもよい。さらに、凸状の曲面と凹状の曲面とを組み合せた複合曲面でもよい。
【００３２】
点灯装置５は、点灯回路基板５００に点灯回路部品５０を実装して構成される。点灯装置５は、点灯回路部品５０によって構成され、商用電源などから供給される交流電力を、ＬＥＤ素子１０を駆動する直流電力に変換するＡＣ−ＤＣコンバータ回路（図示せず）を備える。すなわち、点灯装置５は、口金４から入力された商用電力を、ＬＥＤ素子１０を駆動する駆動電力に変換して、ＬＥＤ素子１０に供給する。
点灯回路部品５０には、ＦＥＴなどのスイッチング素子、商用電源などから供給される交流電力を整流する整流ダイオード、脈流を平滑するコンデンサ、スイッチング素子の駆動制御を行う制御ＩＣなどが含まれる。
好ましくは、点灯装置５は、ＬＥＤ素子１０を安定駆動するために、負荷変動の検出機能、負荷変動に応じてＡＣ−ＤＣコンバータ回路から出力される駆動電流を制御する制御機能、および商用電力の供給経路を介して流入および／または流出するノイズを除去または低減するフィルタ機能などをさらに有する。
【００３３】
図５〜７に示すように、点灯回路基板５００の第１当接部５８０は、第１ボス３０３の第１当接部３８０と当接する（第１当接部８０）。点灯回路基板５００の第２当接部５８１は、第２ボス３０４の第２当接部３８１と当接する（第２当接部８１）。点灯回路基板５００の第３当接部５８２は、第１ボス３０３の第１当接部３８０近傍の樹脂筐体内周面部３００である第３当接部３８２と当接する（第３当接部８２）。点灯回路基板５００の第４当接部５８３は、第２ボス３０４の第４当接部３８３近傍の樹脂筐体内周面部３００である第４当接部３８３と当接する（第４当接部８３）。このように、点灯回路基板５００の４つの当接部は、樹脂筐体３０の４つの当接部、すなわち樹脂筐体内周面部３００の２つの当接部と、第１ボス３０３と第２ボス３０４との当接部とにそれぞれ当接することによって、樹脂筐体３０の内部に保持される。
【００３４】
そして、第１当接部８０、第２当接部８１、第３当接部８２、および第４当接部８３を除いて、樹脂筐体内周面部３００と、点灯回路基板５００および点灯回路基板５００に実装される点灯回路部品５０との間に所定の空間が設けられ、点灯回路基板５００および点灯回路部品５０には機械的応力（ストレス）が加わらないように点灯装置５が配設されている。
【００３５】
以上のように、本実施の形態に係る照明ランプ１００は、点灯装置５（点灯回路基板５００）を保持する構造と、光源１（光源基板１１）を固定する構造とを兼用しているので、筐体部３の樹脂筐体３０が簡素に構成できる。
すなわち、樹脂筐体３０の内面部には複雑な保持構造を必要としないため、長尺の点灯装置５（点灯回路基板５００）を樹脂筐体３０の長尺狭小の内部空間に安定的に保持する構造として好適である。
【００３６】
本実施の形態に係る照明ランプ１００の組み立てについて説明する。
点灯装置５を樹脂筐体３０に挿入し、口金４を樹脂筐体３０に嵌合し、第１給電線（図示せず）および第２給電線（図示せず）を用いて点灯装置５と口金４とを電気的に接続し、点灯回路基板５００を固定する。
その後、ねじ９を樹脂筐体３０の第１ボス３０３および第２ボス３０４に連通するＬＥＤ基板１１と金属筐体３１との開孔（第１貫通孔１１０、３１０、第２貫通孔１１１、３１１）から貫通させ、第１ボス３０３および第２ボス３０４にねじ込むことにより、ＬＥＤ基板１１と樹脂筐体３０と金属筐体３１とを相互に固定する。
そして、発光手段であるＬＥＤ素子１０が実装されるＬＥＤ基板１１と第２筐体部３１７（第１錐状部３１７ｓ）とを覆うように、金属筐体３１のカバー取付け部３１４にカバー２が取り付けられる。照明ランプ１００は、このようにして組み立てられる。
【００３７】
以上のように、本実施の形態に係る照明ランプ１００は、一体形成された金属筐体３１と、点灯装置５を保持する構造と光源１を固定する構造とを兼用した樹脂筐体３０を用いたことによって、照明ランプ１００の組立工程も簡素になる。このため、製造コストを削減することができる。
【００３８】
なお、点灯装置５の機械的固定や点灯装置５が発する動作熱の放伝達放散などを目的として、樹脂筐体３０内の樹脂筐体内周面部３００と点灯装置５との間隙に熱伝導性の充填部材（図示せず）のなどを充填しても良い。これによって、樹脂筐体３０内での点灯装置５のガタツキを防止したり、点灯装置５の動作品質を向上させたりすることができる。
【００３９】
（第１の特徴と効果）
次に、図８、９を参照して、本発明の第１の特徴と効果について説明する。図８は、本発明の実施の形態１に係る照明ランプの第１の特徴の全体を説明する図である。図９は、本発明の第１の特徴と効果の細部を説明する図である。
【００４０】
図８、９に示すように、点ａはＬＥＤ基板１１の中心点であり、点ｂはカバー２のカバー内面部２１の頂点（頂部）であり、いずれも照明ランプ１００の中心軸Ｏ（一点鎖線）と交差する点である。
上述したとおり、ＬＥＤ基板１１は円板形状をなす。また、光源取付け部３１３は円形状をなし、第２筐体部３１７（第１錐状部３１７ｓ）の最大外径部３１ｓ１（すなわち金属筐体３１の最大外径部３１ｓ１）は、照明ランプ１００の中心軸Ｏと直交する断面形状が円形の形状をなしている。第２筐体部３１７（第１錐状部３１７ｓ）の最大外径部３１ｓ１（すなわち金属筐体３１の最大外径部３１ｓ１）は、照明ランプ１００の最大外径部である。
【００４１】
点ｃはＬＥＤ基板１１の外周縁部の、点ｄは光源取付け部３１３の外周縁部の、点ｅは第１錐状部３１７の最大外径部の、点Ｆは金属筐体３１の最大外径部３１ｓ１の、それぞれ本断面図上の１点を示しており、点ｃ、点ｄ、点ｅ、点ｆは、それぞれ周方向に連続した周縁部を形成している。
そして、本断面図上の点ｂと点ｆと結ぶ点線ｓ−ｓは、照明ランプ１００の中心軸Ｏ（一点鎖線）との間に角度θ１を有しており、周方向に連続して点Ｂを頂点とする円錐形の仮想側面部を形成している（図１における錐状空間ｇの側面部）。
【００４２】
実施の形態１に係る照明ランプ１００は、断面が（最大の外径寸法である）直径Ｒ１の円形をなす最大外径部３１ｓ１を有し、Ｒ１より小さい直径Ｒ２である円形の光源取付け部３１３が、最大外径部３１ｓ１を基準としてカバー２の頂部ｂ側にＬ２だけ変移させて形成されており、ＬＥＤ素子１０が実装されたＬＥＤ基板１１は光源取付け部３１３に取付けられている。このとき、光源取付け部３１３と頂部ｂとの距離（最小寸法）はＬ１である。
【００４３】
このとき、光源取付け部３１３の外周縁部の本断面図上の１点である点ｄは、点線ｓ−ｓ上に位置している。すなわち、光源取付け部３１３の周方向に連続する周縁部は、頂部ｂを頂点とする点線ｓ−ｓを含む円錐形の仮想側面上に位置している。
また、ＬＥＤ基板１１の外周縁部の本断面図上の１点である点ｃは、点線ｓ−ｓ上に位置している。すなわち、ＬＥＤ基板１１周方向に連続する周縁部は、頂部ｂを頂点とする点線ｓ−ｓを含む円錐の仮想側面上に位置している。
【００４４】
ＬＥＤ素子１０から出射された光が、カバー２によって拡散されたり反射されたりした拡散光や反射光の一例として、カバー内面部２１の頂部ｂから口金４側に出射される光は、その一部が頂部ｂ→点ｃ→点ｄ→点ｅ→点ｆの経路を介して、照明ランプ１００から、ＬＥＤ素子１０よりも口金４側の領域に出射される（図８の矢印ｘの向きに出射）。つまり、本実施の形態における理論上の光の照射角度は、
３６０−（２＊θ１）〔度〕    ・・・（１）
で定義される。
【００４５】
このように、照明ランプ１００を構成することによって、ＬＥＤ素子１０から出射された光が、カバー２によって拡散されたり反射されたりした拡散光や反射光は、ＬＥＤ素子１０よりも口金４側の領域に効率的に出射されるので、照明ランプ１００の配光を広げることができる。
さらに、金属筐体３１は一体成形によって製造できる形状としているため、構成が簡素であるとともに、照明ランプ１００の組み立ての工程も簡素にできる。このため、本発明は、照明ランプの製造コストを抑制する効果も合せて奏するものである。
【００４６】
以上、図８を用いて、頂部ｂ、点ｃ、点ｄ、点ｅ、点ｆを点線ｓ−ｓ上に位置させた構成について例示して本実施の形態を説明したが、この構成に限定されるものではない。本発明は、ＬＥＤ素子１０を除く光源部１の構成要素（ＬＥＤ基板１１）や筐体部３などの遮光性を有する構成要素を、中心軸Ｏと点線ｓ−ｓで挟まれた領域に形成することによっても、同様の効果を奏するものである。
つまり、光源取付け部３１３の周方向に連続する周縁部は、頂部ｂを頂点とする点線ｓ−ｓを含む円錐の仮想側面より中心軸Ｏ側に位置するように構成してもよいし、ＬＥＤ基板１１周方向に連続する周縁部は、頂部ｂを頂点とする点線ｓ−ｓを含む円錐の仮想側面より中心軸Ｏ側に位置するように構成してもよい。
【００４７】
ここで、Ｒ１＞Ｒ２の関係を維持しながらＲ２をより大きな寸法としてＬＥＤ素子１０をＬＥＤ基板１１のさらに周縁部側に実装したり、Ｌ１をより大きな寸法としたり、θ１をより小さな角度としたりすることなどは、照明ランプ１００の配光を広げるために有効であるが、照明器具への装着を踏まえた照明ランプ１００の外観形状や外観寸法、ＬＥＤ素子１０や点灯装置５が発する動作熱の伝達や放散とのバランスなどが勘案されるべきであることは言うまでもない。
【００４８】
（第２の特徴と効果）
次に、図１０〜１３を参照して、本発明の第２の特徴と効果について説明する。図１０は、本発明の実施の形態１に係る照明ランプの第２の特徴を説明する断面図である。図１１〜１３は、本発明の特徴を説明するために例示した、従来の照明ランプの主要な構成を示す断面図である。
【００４９】
上述したように、本実施の形態に係る照明ランプ１００は、熱伝導性を有する金属材料（例えば、アルミニウム）などを用いて有底筒状に一体成形された金属筐体３１を備えている。底面部の外面側には光源部１が取り付けられる光源取付け部３１３としての平坦な面が形成されており、外面側と対向する底面部の内面側がくり抜かれた凹形状をなしている。
【００５０】
また、金属筐体３１の筒状の外周部の形状は、最大の外径寸法Ｒ１を共有する円形の底面どうしを重ねた、光源部１側に向かって円形の断面形状を維持しながら徐々に外径寸法が小さくなる第１錐状部３１７ｓと、口金４側の開口端部３１Ｂに向かって円形の断面形状を維持しながら徐々に外径寸法が小さくなる第２錐状部３１８ｓとを組み合せた形状である。すなわち、光源取付け部３１３の直径寸法Ｒ２は、金属筐体３１の最大の外径寸法Ｒ１より小さい。そして、光源取付け部３１３に取り付けられるＬＥＤ基板１１の直径寸法（それぞれ図８のＲ４）は、光源取付け部３１３の直径寸法Ｒ２より小さい。
【００５１】
金属筐体３１の凹部には、開口部側から樹脂筐体３０の金属筐体取付け部３０６Ａが挿入される。樹脂筐体３０が金属筐体３１に挿入され、樹脂筐体３０と金属筐体３１とで形成される空間に点灯装置５が収納される。
【００５２】
図１０に示すように、照明ランプ１００の長尺方向の最大寸法はＬｔ１である。また、点灯装置５を構成し点灯回路部品（図示せず）が実装される点灯回路基板５００は、樹脂筐体３０に収納可能な外形形状を有しており、点灯回路基板５００の長尺方向の最大寸法はＬｐ１である。そして、理論上の光の照射角度は、
３６０−（２＊θ１）〔度〕    ・・・（１）
である。
【００５３】
本実施の形態における金属筐体３１は、錐状の第２筐体部３１７（第１錐状部３１７ｓ）を有しており、金属筐体３１の凹部は第２筐体部３１７（第１錐状部３１７ｓ）の領域まで深く延在させて形成されている。そして、樹脂筐体３０の金属筐体取付け部３０６Ａは、第２筐体部３１７（第１錐状部３１７ｓ）の領域まで深く延在した金属筐体３１の凹部に挿入され、金属筐体取付け部３０６Ａを含む樹脂筐体３０の内部に点灯装置５が収納される。
【００５４】
このように、金属筐体３１は錐状の第２筐体部３１７（第１錐状部３１７ｓ）を有しているため、金属筐体３１の第２筐体部３１７（第１錐状部３１７ｓ）の領域まで深く延在させて凹部を形成することができる。これによって、点灯装置５を収納するための収納空間を、照明ランプ１００の軸方向の光源部１側に大きく延在させて形成することができる。
さらに、金属筐体３１は一体成形によって製造できる形状としているため、構成が簡素であるとともに、ＬＥＤ素子１０や点灯装置５から発せられる動作熱を効率的に伝達して照明ランプ１００の外部へ放散させることができる。このため、本発明は、照明ランプの製造コストを抑制したり、動作品質を向上させたりする効果も合せて奏するものである。
【００５５】
ここで、図１１〜１３を参照して、従来技術の課題について補足的に説明する。図１１は、錐状の第２筐体部（第１錐状部）を備えない金属筐体３６を用いて構成される、従来の照明ランプの一例を示す断面図である。図１１に示すように、照明ランプ６００の長尺方向の最大寸法はＬｔ１である。また、理論上の光の照射角度は、
３６０−（２＊θ１）〔度〕    ・・・（１）
である。
照明ランプ６００は、錐状の第２筐体部（第１錐状部）を備えない金属筐体３６を用いて構成されているため、点灯回路基板５０６の長尺方向の最大寸法はＬｐ２である。従来技術における点灯回路基板５０６の長尺方向の最大寸法Ｌｐ２と、本発明における点灯回路基板５００の長尺方向の最大寸法Ｌｐ１とを比較すると、
Ｌｐ２＜Ｌｐ１    ・・・（２）
である。
【００５６】
つまり、従来技術における点灯回路基板５０６の長尺方向の最大寸法は、本発明における点灯回路基板５００の長尺方向の最大寸法Ｌｐ１よりも大きくできないため、回路基板５０６に実装できる点灯回路部品の大きさや数に制約を受ける。このため、従来技術の照明ランプ６００は小型の点灯装置しか収納することができないので、充分な出力特性を得ることが困難である。
【００５７】
図１２は、錐状の第２筐体部（第１錐状部）を備えない金属筐体３６ａを用いて構成される、従来の照明ランプの別の一例を示す断面図である。図１２に示すように、照明ランプ６００ａの長尺方向の最大寸法はＬｔ２である。また、理論上の光の照射角度は、
３６０−（２＊θ１）〔度〕    ・・・（１）
である。
照明ランプ６００ａは、本発明における点灯回路基板５００を用いた点灯装置５を備えている。点灯回路基板５００の長尺方向の最大寸法はＬｐ１である。従来技術における照明ランプ６００ａは、錐状の第２筐体部（第１錐状部）を備えない金属筐体３６ａを用いて構成されるため、照明ランプ６００ａの長尺方向の最大寸法はＬｔ２となっている。照明ランプ６００ａの長尺方向の最大寸法Ｌｔ２と、本発明における照明ランプ６００の長尺方向の最大寸法Ｌｔ１とを比較すると、
Ｌｔ２＞Ｌｔ１    ・・・（３）
である。
【００５８】
つまり、従来技術における照明ランプ６００ａの長尺方向の最大寸法は、本発明における照明ランプ６００の長尺方向の最大寸法Ｌｔ１よりも大きくなるため、照明ランプ６００ａは外形寸法が大きくなる。このため、照明器具によっては、照明ランプ６００ａを取り付けることができないことがあるほか、包装容積も大きくなることから物流効率を悪化させる要因ともなる。
【００５９】
図１３は、錐状の第２筐体部（第１錐状部）を備えない金属筐体３６ａを用いて構成される、従来の照明ランプのさらに別の一例を示す断面図である。図１３に示すように、照明ランプ６００ｂの長尺方向の最大寸法はＬｔ１である。
照明ランプ６００ｂは、本発明における点灯回路基板５００を用いた点灯装置５を備えている。点灯回路基板５００の長尺方向の最大寸法はＬｐ１である。従来技術における照明ランプ６００ｂは、長尺方向の最大寸法をＬｔ１としているものの、錐状の第２筐体部（第１錐状部）を備えない金属筐体３６ａを用いて構成されているため、理論上の光の照射角度は、
３６０−（２＊θ２）〔度〕    ・・・（４）
である。
ここで、θ２＞θ１であり、照明ランプ６００ｂの理論上の光の照射角度と、本発明における照明ランプ６００の理論上の光の照射角度とを比較すると、
３６０−（２＊θ２）〔度〕＜３６０−（２＊θ１）〔度〕    ・・・（３）
である。
【００６０】
つまり、従来技術における照明ランプ６００ｂの理論上の光の照射角度は、本発明における照明ランプ６００の理論上の光の照射角度よりも小さくなるため、照明ランプ６００ｂは光の照射範囲が狭くなる。このため、用途が限定され商品性を低くしてしまう要因ともなる。
【００６１】
以上、いくつかの従来技術に係る照明ランプとの比較からも明らかなように、本発明における照明ランプ１００は、錐状の第２筐体部（第１錐状部３１７）を備えた金属筐体３１を用いて構成されることによって、小型で広配光の特性を有するとともに、大きな内部空間を備えることがでるため、大型で大出力の点灯装置５を収納することができる。すなわち、本発明は、高輝度の照明ランプを提供する効果を合せて奏するものである。
【００６２】
（第３の特徴と効果）
さらに、図１４，１５を参照して、本発明の第３の特徴と効果について説明する。図１４は、本発明の実施の形態１に係る照明ランプの第３の特徴を説明する図である。図１５は、本発明の特徴を説明するために例示した、従来の照明ランプの主要な構成を示す断面図である。
【００６３】
図１４に示すように、本実施の形態に係る照明ランプ１００において、ＬＥＤ素子１０から出射された光が、カバー２によって拡散されたり反射されたりした拡散光や反射光の一例として、カバー内面部２１の点ｂ２から口金４側に出射される光は、その一部が矢印ｘ２の向きで出射される。ここで、直線Ｏ２（一点鎖線）は点ｂと交差する、照明ランプ１００の中心軸Ｏ（一点鎖線）と平行は直線である。カバー内面部２１の点ｂ２から、直線Ｏ２（一点鎖線）に対して角度θ３を有して出射される光は、矢印ｘ２の向きに第１錐状部３１７上の点Ｍに入射する。入射した光は、錐状の第２筐体部３１７（第１錐状部３１７ｓ）に対する入射角度と等しい出射角度を有して点Ｍで反射し、基準線Ｔより口金４側の領域に向かって出射される。
【００６４】
カバー２によって拡散されたり反射されたりした拡散光や反射光が、錐状の第２筐体部３１７（第１錐状部３１７ｓ）に入射されると、反射して入射された光の殆どは口金４側の領域に出射される。つまり、錐状の第２筐体部３１７（第１錐状部３１７ｓ）を有する金属筐体３１で構成された照明ランプ１００において、金属筐体３１のカバー取付け部３１４付近に到達する光は、その殆どは錐状の第２筐体部３１７（第１錐状部３１７ｓ）によって反射された光であって、口金４側の領域に出射される。
【００６５】
ここで、図１５を参照して、従来技術の課題について補足的に説明する。
図１５に示すように、従来技術における照明ランプ６００において、ＬＥＤ素子１０から出射された光が、カバー２によって拡散されたり反射されたりした拡散光や反射光の一例として、カバー内面部２１の点ｂ２から口金４側に出射される光は、その一部が矢印ｘ２の向きで出射される。ここで、直線Ｏ２（一点鎖線）は点ｂと交差する、照明ランプ１００の中心軸Ｏ（一点鎖線）と平行は直線である。カバー内面部２１の点ｂ２から、直線Ｏ２（一点鎖線）に対して角度θ３を有して出射される光は、矢印ｘ２の向きに光源取付け部上の点Ｍｃに入射する。入射した光は、光源取付け部に対する入射角度と等しい出射角度を有して点Ｍｃで反射し、基準線Ｔよりカバー２側の領域に向かって出射される。
【００６６】
従来技術における照明ランプ６００において、カバー２によって拡散されたり反射されたりした拡散光や反射光が、光源取付け部やＬＥＤ基板などに入射されると、反射して入射された光の殆どはカバー２側の領域に出射される。つまり、錐状の第２筐体部（第１錐状部）を備えない金属筐体３６で構成された照明ランプ６００において、金属筐体３６のカバー取付け部付近に到達する光は、その殆どは光源取付け部やＬＥＤ基板によって反射され、カバー２側の領域に出射される。
このため、口金４側の領域への光の照射量が少なく、また、カバー２の開口端部２２付近には、光源取付け部の周部の影が造影されて帯状の暗帯領域Ｂｄが形成されていた。つまり、カバー２の開口端部２２付近は不自然に暗くなっていた。
【００６７】
ここで、再び図１４を参照すると本発明に係る照明ランプ１００は、第１錐状部３１７を備える金属筐体３１を用いて構成されているため、カバー２の開口端部２２付近に帯状の暗帯領域Ｂｄは形成されないため配光の不連続性が解消される。これにより、カバー２の表面全体から光が出射されてより自然な発光感を得ることができる。
本発明では、口金側への配光のために専用の発光素子を設ける必要がなく、非常に簡素な構成で自然な発光感を有する照明ランプを提供することができる。
【００６８】
以上のように、本発明に係る照明ランプ１００は構成されたので、小型かつ軽量を維持しながら簡素な構成によって配光を広げることができる。
【００６９】
（実施の形態１の変形例）
実施の形態１に係るいくつかの変形例について、図１６〜２２を参照しながら説明する。
図１６〜２２は、本発明の実施の形態１に係る照明ランプの変形例を説明する図である。
【００７０】
（第１の変形例）
第１の変形例は、実施の形態１に係る照明ランプ１００の樹脂筐体３０に設けられた２つのボス部の配置箇所を変更させたものである。
図１６は、第１変形例に係る照明ランプの構成を説明する断面図である。
図１６を参照しながら、第２変形例に係る照明ランプ１００ａについて説明する。なお、第１変形例は、実施の形態１との相違点を中心に説明し、同一の構成については同一の符号を用い、説明を省略する。
【００７１】
図１６に示すように、第１変形例に係る照明ランプ１００ａの第１ボス３０３ａおよび第２ボス３０４ａは、実施の形態１において、樹脂筐体３０の中心を挟んで対向する２箇所に形成されている２つのボス（３０３ａ、３０４ａ）のいずれか一方を他方側に寄せて形成されている。第１変形例に係る照明ランプ１００ａは、高背部品（図示せず）を実装した点灯回路基板５００ａを樹脂筐体３０ａの内部に中心から変移させて、安定的に保持するのに好適である。また、樹脂筐体内周面部３００と２つのボス（３０３ａ、３０４ａ）のそれぞれとで形成される角度が、実施の形態１に係る照明ランプ１００より小さくなるため、点灯回路基板５００ａをより強く挟持することができる。すなわち、点灯回路基板５００ａをより安定的に保持することができる。
【００７２】
なお、第１ボス３０３ａおよび第２ボス３０４ａは、中心軸に平行に第３錐状部３０７ａまで延伸して第１リブ３０１ａと第２リブ３０２ａとを形成し、樹脂筐体３０ａを補強して変形し難くする。２つのボス（３０３ａ、３０４ａ）の寸法や配置箇所は、点灯回路基板５００ａの寸法や点灯回路基板５００ａに実装される点灯回路部品（図示せず）の寸法や配置などの設計仕様に応じて適宜調整すればよい。
【００７３】
（第２変形例）
第２変形例に係る照明ランプ１００ｂは、実施の形態１または２に係る照明ランプ１００、１００ａの樹脂筐体３０、３０ａの周部の厚さを一部変更したものである。
図１７は、第２変形例に係る照明ランプの構成を説明する断面図である。
図１７を参照して、第２変形例に係る照明ランプ１００ｂについて説明する。なお、第２変形例は、上述の実施の形態１または変形例との相違点を中心に説明し、同一の構成については同一の符号を用い、説明を省略する。
【００７４】
図１７に示すように、第２変形例に係る照明ランプ１００ｂの樹脂筐体３０ｂは、周部の樹脂筐体内周面部３００側の厚さを一部厚くした肉厚部３０８が設けられている。また、肉厚部３０８は、第１ボス３０３ｂおよび第２ボス３０４ｂの間の周部の厚さが同一となる様に設けられている。この肉厚部３０８の第１ボス３０３ｂの端部である肉厚端部３０９と第１ボス３０３ｂとの間には、点灯回路基板５００の幅広部が挿入されて幅広部の端部が嵌合される凹状の嵌合箇所Ａが形成されている。また、同様に、肉厚部３０８の第２ボス３０４ｂ側の端部である肉厚端部３０９と第２ボス３０４ｂとの間には、点灯回路基板５００の幅広部が挿入されて幅広部の端部が嵌合される凹状の嵌合箇所Ｂが形成されている。
【００７５】
これらの嵌合箇所Ａおよび嵌合箇所Ｂに点灯回路基板５００を挿入することで、樹脂筐体３０ｂ内で点灯回路基板５００を保持することができる。第２変形例３に係る照明ランプ１００ｂは、樹脂筐体内周面部３００よりも高さが高い肉厚端部３０９、および点灯回路基板５００の幅広部が挿入されて幅広部の端部が嵌合される凹状の嵌合箇所Ａ、嵌合箇所Ｂを有するので、実施の形態１または２よりもさらに安定的に樹脂筐体３０ｂ内に点灯回路基板５００を保持することができる。
【００７６】
なお、第１ボス３０３ｂ、第２ボス３０４ｂ、および肉厚部３０８は、中心軸に平行に第３錐状部３０７ｂまで延伸して第１リブ３０１ｂと第２リブ３０２ｂとを形成し、樹脂筐体３０ｂを補強して変形し難くする。
【００７７】
（第３変形例）
第３変形例に係る照明ランプ１００ｃは、第２変形例に係る照明ランプ１００ｂの樹脂筐体３０ｂの肉厚部３０８の位置を変更したものである。
図１８は、第３変形例に係る照明ランプの構成を説明する断面図である。
図１８を参照して、第３変形例に係る照明ランプ１００ｃについて説明する。なお、第３変形例は、第２変形例との相違点を中心に説明し、同一の構成については同一の符号を用い、説明を省略する。
【００７８】
図１８（ｃ）に示すように、第３変形例に係る照明ランプ１００ｃにおいて、肉厚部３０８ｃは、第１ボス３０３ｃおよび第２ボス３０４ｃの近傍に、樹脂筐体３０ｃの中心軸に対して回転対象となる箇所に部分的に形成される。肉厚部３０８ｃの第１ボス３０３ｃ側の端部である肉厚端部３０９ｃと第１ボス３０３ｃとの間には、点灯回路基板５００ｃの幅広部が挿入されて幅広部の端部が嵌合される凹状の嵌合箇所Ｃが形成されている。また、同様に、肉厚部３０８ｃの第２ボス３０４ｃ側の端部である肉厚端部３０９ｃと第２ボス３０４ｃの間には、点灯回路基板５００ｃの幅広部が挿入されて幅広部の端部が嵌合される凹状の嵌合箇所Ｄが形成されている。なお、嵌合箇所Ｃと嵌合箇所Ｄは、樹脂筐体３０ｃの中心軸に対して回転対象となる箇所に形成されている。これらの嵌合箇所Ｃおよび嵌合箇所Ｄに点灯回路基板５００を挿入することで、樹脂筐体３０ｃで点灯回路基板５００ｃを保持することができる。
【００７９】
第３変形例に係る照明ランプ１００ｃは、樹脂筐体内周面部３００よりも高さが高い肉厚端部３０９ｃ、および点灯回路基板５００ｃが挿入されて幅広部５００ｃの端部が嵌合される凹状の嵌合箇所Ｃ、嵌合箇所Ｄを有するので、上述の実施の形態１または変形例よりもさらに安定的に樹脂筐体３０ｃ内に点灯回路基板５００ｃを保持することができる。さらに、嵌合箇所Ｃと嵌合箇所Ｄは、樹脂筐体３０ｃの中心軸に対して回転対象に形成されるので、樹脂筐体３０ｃの内径により近い幅広部の幅寸法を有する点灯回路基板５００ｃを樹脂筐体３０ｃ内に保持することができる。すなわち、点灯回路部品（図示せず）の、点灯回路基板５００ｃに対する実装の自由度が向上する。
【００８０】
（第４変形例）
第４変形例に係る照明ランプは、実施の形態１における照明ランプ１００の２つのボス部の構成を変更したものである。
図１９は、第４変形例に係る照明ランプの構成を説明する断面図である。
図１９を参照して、第４変形例に係る照明ランプ１００ｄについて説明する。なお、第４変形例は、実施の形態１との相違点を中心に説明し、同一の構成については同一の符号を用い、説明を省略する。
【００８１】
図１９に示すように、第４変形例に係る照明ランプ１００ｄにおいて、樹脂筐体３０ｄに設けられた第１ボス３０３ｄおよび第２ボス３０４ｄは、樹脂筐体３０ｄの円筒の内面である樹脂筐体内周面部３００から樹脂筐体３０ｄの内側に向かって突出しているとともに、樹脂筐体３０ｄの円筒の外面である樹脂筐体外周面部３０６から樹脂筐体３０ｄの外側に向かって突出している。また、金属筐体３１ｄの内壁面の２箇所には、金属筐体３１ｄの外側に向かって凹状の形状をなす嵌合箇所Ｅが形成されており、樹脂筐体３０ｄの外側に突出させた第１ボス３０３ｄおよび第２ボス３０４ｄと嵌合するように構成されている。すなわち、樹脂筐体３０ｄの外面と金属筐体３１ｄの内面とは相互に干渉しないようになっている。
【００８２】
このように構成されたことにより、実施の形態１に述べた効果に加え、樹脂筐体３０ｄが金属筐体３１ｄの凹部に挿入される際に、第１ボス３０３ｄおよび第２ボス３０４ｄが挿入ガイドとしての機能を果たすため、照明ランプ１００ｄは、製品の組み立てをスムーズに行うことができる。そして、樹脂筐体３０ｄが金属筐体３１ｄの凹部に挿入されると、樹脂筐体３０ｄと金属筐体３１ｄとの相互の位置が決定されるとともに、相互の回動が規制される。このため、配線材を第３貫通孔１１２、３１２に挿通するなどの組み立て作業をスムーズに行うことができるので、安定した組み立て品質を得ることができる。
【００８３】
（第５変形例）
第５変形例に係る照明ランプは、実施の形態１における照明ランプ１００の筐体部の筒周部の形状の一部を変更したものである。
図２０は、第５変形例に係る照明ランプの構成を説明する断面図で、図２１のＢ−Ｂ断面図である。図２１は、第５変形例における筐体部の構成を説明する側面視断面図であり、図２２は、第５変形例における樹脂筐体の構成を説明する拡大斜視図である。
図２０〜２２を参照して、第５変形例に係る照明ランプ１００ｅについて説明する。なお、第５変形例は、実施の形態１との相違点を中心に説明し、同一の構成については同一の符号を用い、説明を省略する。
【００８４】
図２０、２１に示すように、第５変形例に係る照明ランプ１００ｅにおいて、金属筐体３１ｅの金属筐体内周面部３１６の一部に平面部３１５が、樹脂筐体３０ｅの金属筐体取付け部３０６Ａの一部に平面部３０５が、それぞれ設けられている。
図２２に示すように、樹脂筐体３０ｅの金属筐体取付け部３０６Ａは、円筒状の周部の一部に平面部３０５を有しており、その断面形状は所謂蒲鉾形状をなしている。
【００８５】
金属筐体３１ｅの凹部の内表面は、樹脂筐体３０ｅを金属筐体３１ｅの凹部に挿入した際に、樹脂筐体３０ｅの金属筐体取付け部３０６Ａの外周部と当接可能な形状に形成されている。すなわち、樹脂筐体３０ｅを金属筐体３１ｅの凹部に挿入したときに。平面部３１５と平面部３０５とは互いに対向するように構成されている。そして平面部３０５に対向する金属筐体３１ｅの周部は肉厚部を構成する。
【００８６】
このように構成されたことにより、実施の形態１に述べた効果に加え、樹脂筐体３０ｅが金属筐体３１ｅの凹部に挿入される際に、平面部３０５が挿入ガイドとしての機能を果たすため、照明ランプ１００ｅは、製品の組み立てをスムーズに行うことができる。そして、樹脂筐体３０ｅが金属筐体３１ｅの凹部に挿入されると、樹脂筐体３０ｅと金属筐体３１ｅとの相互の位置が決定されるとともに、相互の回動が規制される。このため、配線材を第３貫通孔１１２、３１２に挿通するなどの組み立て作業をスムーズに行うことができるので、安定した組み立て品質を得ることができる。
【００８７】
平面部３０５に対向する金属筐体３１ｅの周部は肉厚部を構成しており、金属筐体３１ｅは熱容量が増加する。このため、ＬＥＤ素子１０や点灯装置５の動作熱を低下させる効果をさらに得る。すなわち、照明ランプ１００ｅは、動作信頼性を向上させることができる。
【００８８】
実施の形態２．
上述した、実施の形態１に係る照明ランプ１００〜１００ｅは、この照明ランプの口金に嵌合するランプソケットおよび１つあるいは複数の照明ランプを収容する筐体と組み合わされて、照明装置を構成することができる。
図２３は、実施の形態１に係る照明ランプ１００〜１００ｅが適用された照明装置１５０の構成を示す断面図である。なお、図２３では、実施の形態１に係る照明ランプ１００が適用された場合を例に示している。
【００８９】
図２３に示すように、照明装置１５０は、照明ランプ１００を内包する器具本体１７０と、照明ランプ１００の口金４（図示せず）が取り付けられるランプソケット１６０と、器具本体１７０内に設けられ照明ランプ１００から出射される光を反射するリフレクタ１８０とを備える。
図２３に例示する照明装置１５０は、天井など形成された器具取付け部１９０である開口部に挿入され、器具取付け部１９０側から室内を照明する照明装置である。このような天井取り付け型の照明装置のほか、例えば、壁に設置される照明装置や卓上に載置される照明装置などに、実施の形態１に示した照明ランプ１００〜１００ｅを適用することができる。
【００９０】
以上、本発明の実施の形態を、電球形照明ランプ（電球形ＬＥＤランプ）を例示して説明したが、本発明は照明ランプの形態を限定するものではない。
【符号の説明】
【００９１】
１  光源部、２  カバー、３、３ａ、３ｂ、３ｃ、３ｄ、３ｅ  筐体部、４  口金、５  点灯装置（点灯回路）、９  ねじ（取付け部材）、１０  ＬＥＤ素子（発光素子）、１１  ＬＥＤ基板、２０  カバー外面部、２１  カバー内面部、２２  開口端部、３０、３０ａ、３０ｂ、３０ｃ、３０ｄ、３０ｅ  樹脂筐体、３１、３１ｄ、３１ｅ、３６、３６ａ  金属筐体、４０  挟持部、４１  中心電極、５０  点灯回路部品、８０、８０ａ、８０ｄ  第１当接部、８１、８１ａ、８１ｄ  第２当接部、８２、８２ａ、８２ｂ、８２ｃ８２ｄ  第３当接部、８３、８３ａ、８３ｂ、８３ｃ、８３ｄ  第４当接部、１００、１００ａ、１００ｂ、１００ｃ、１００ｄ、１００ｅ  照明ランプ（電球形ＬＥＤランプ）、１１０  第１貫通孔、１１１  第２貫通孔、１１２  第３貫通孔、１５０  照明装置、１６０  ランプソケット、１７０  器具本体、１８０  リフレクタ、１９０  器具取付け部、３００  樹脂筐体内周面部、３０１、３０１ａ、３０１ｂ、３０１ｃ、３０１ｄ  第１リブ、３０２、３０２ａ、３０２ｂ、３０２ｃ、３０２ｄ  第２リブ、３０３、３０３ａ、３０３ｂ、３０３ｃ、３０３ｄ  第１ボス、３０４、３０４ａ、３０４ｂ、３０４ｃ、３０４ｄ  第２ボス、３０５  平面部（樹脂筐体）、３０６  樹脂筐体外周面部、３０６Ａ  金属筐体取付け部、３０６Ｂ  口金取付け部、３０７、３０７ａ、３０７ｂ、３０７ｃ、３０７ｄ、３０７ｅ  第３錐状部（樹脂筐体）、３０８、３０８ｃ  肉厚部、３０９、３０９ｃ  肉厚端部、３０Ａ、３０Ｂ  開口端部、３１０  第１貫通孔、３１１  第２貫通孔、３１２  第３貫通孔、３１３  光源取付け部、３１４  カバー取付け部、３１５  平面部（金属筐体）、３１６  金属筐体内周面部、３１７  第２筐体部（金属筐体）、３１７ｓ  第１錐状部、３１８  第１筐体部（金属筐体）、３１８ｓ  第２錐状部、３１Ｂ  開口端部、３１ｓ１  最大外径部、３８０  第１当接部（第１ボス）、３８１  第２当接部（第２ボス）、３８２  第３当接部（樹脂筐体内周面部）、３８３  第４当接部（樹脂筐体内周面部）、５００、５００ａ、５００ｃ、５００ｄ、５０６  点灯回路基板、５８０  第１当接部（点灯回路基板）、５８１  第２当接部（点灯回路基板）、５８２  第３当接部（点灯回路基板）、５８３  第４当接部（点灯回路基板）、６００、６００ａ、６００ｂ  （従来の）照明ランプ。
【図１】
2015088491.tif 000003
【図２】
2015088491.tif 000004
【図３】
2015088491.tif 000005
【図４】
2015088491.tif 000006
【図５】
2015088491.tif 000007
【図６】
2015088491.tif 000008
【図７】
2015088491.tif 000009
【図８】
2015088491.tif 000010
【図９】
2015088491.tif 000011
【図１０】
2015088491.tif 000012
【図１１】
2015088491.tif 000013
【図１２】
2015088491.tif 000014
【図１３】
2015088491.tif 000015
【図１４】
2015088491.tif 000016
【図１５】
2015088491.tif 000017
【図１６】
2015088491.tif 000018
【図１７】
2015088491.tif 000019
【図１８】
2015088491.tif 000020
【図１９】
2015088491.tif 000021
【図２０】
2015088491.tif 000022
【図２１】
2015088491.tif 000023
【図２２】
2015088491.tif 000024
【図２３】
2015088491.tif 000025